(57)【要約】【課題】コネクタハウジング内への浸水を防止できるとともに、相手側の雄型端子との電気的な接触を安定した状態で保持できる防水コネクタを提供する。【解決手段】雌型端子６を収容する端子収容室３０を備えたコネクタハウジング３と、電線１とコネクタハウジング３との間を止水するマットシール４とを有し、雌型端子６が、電線１の先端部１０とかしめ接合される筒部材２と、端子収容室３０の前端側に固定され、筒部材２の前端側に挿入される複数の弾性片５１を有する接点部材５とから構成され、相手側の雄型端子７を端子収容室３０に前端側から挿入して弾性片５１をそれぞれ押し広げることにより筒部材２と接触させて、接点部材５および筒部材２を介して電線１と雄型端子７とを電気的に接続する。【選択図】図２
2010097714.tif 000002
【特許請求の範囲】
【請求項１】
電線に接続される雌型端子と、該雌型端子を収容する端子収容室を有すると共に、後面にシールセット部を有したコネクタハウジングと、該雌型端子および電線を圧入可能な貫通孔を有し、該雌型端子を該端子収容室に挿入する前に該コネクタハウジングの該シールセット部に嵌め込まれ、その後から該貫通孔を通して該端子収容室に該雌型端子が挿入されることで、該雌型端子の後方に延びる該電線の外周に密着して、該電線と該コネクタハウジングとの間を止水する弾性材料製のマットシールと、を具備した防水コネクタであって、
前記雌型端子は、
筒状の金属材からなり、前記電線の先端部が後端側の筒内部に挿入され、電気的に接続される筒部材と、
金属材からなり、枠状の基部に弾性片が突設された接点部材とから構成され、
該基部が前記端子収容室の前端側に固定された状態で、相手側の雄型端子を該端子収容室に前端側から挿入した際に、該雄型端子が該接点部材の弾性片を押し広げ、該弾性片が該筒部材と接触することで、前記接点部材および前記筒部材を介して前記電線と前記雄型端子とが電気的に接続されることを特徴とする防水コネクタ。
【請求項２】
請求項１に記載の防水コネクタであって、
前記筒部材を円筒状に形成するとともに、前記筒部材を前記電線の先端部にかしめ接合したことを特徴とする防水コネクタ。
【発明の詳細な説明】
【技術分野】
【０００１】
本発明は、コネクタハウジング内への浸水を防止するマットシールを備えた防水コネクタに関する。
【背景技術】
【０００２】
従来、コネクタハウジングとして、特許文献１に記載されているものが提案されている。このコネクタハウジング１００は、図４に示すように、複数の雌型端子１０１を収容する複数の端子収容室１０２を備えており、各雌型端子１０１はコネクタハウジング１００の後端より挿入可能である。雌型端子１０１は、角張った断面形状に成形された金属板からなり、電線１０３の先端にかしめ接合される電線接合部１０１ａと、相手側の雄型端子（図示せず）が挿入される端子接続部１０１ｂとを有している。上記構成では、まず電線１０３の先端を雌型端子１０１に挿入してかしめることにより電線接合部１０１ａを形成した後、コネクタハウジング１００の後端側から端子収容室１０２に雌型端子１０１を挿入するととともに、雌型端子１０１の後方に延びる状態で電線１０３を配置する。次いで、相手側の雄型端子をコネクタハウジング１００の端子収容室１０２に前端側から挿入して端子接続部１０１ｂに挿入することにより、雌型端子１０１を介して電線１０３および相手側の雄型端子が電気的に接続される。
【特許文献１】特開平８−３２１３４５号公報
【発明の開示】
【発明が解決しようとする課題】
【０００３】
ところで、前述した従来のコネクタハウジング１００では、金属製の雌型端子１０１の電線接合部１０１ａを電線１０３の先端に圧着させているが、この圧着強度が比較的小さいという問題があった。また、電線１０３および相手側の雄型端子の少なくとも一方に横方向への屈曲荷重や振動が掛かり、端子接続部１０１ｂおよび相手側の雄型端子の取付位置がずれて隙間が生じた場合、雌型端子１０１と雄型端子との電気的な接触を安定した状態で保持するができないという問題もあった。
【０００４】
本発明は、上記事情を考慮し、コネクタハウジング内への浸水を防止できるとともに、相手側の雄型端子との電気的な接触を安定した状態で保持することができる防水コネクタを提供することを目的とする。
【課題を解決するための手段】
【０００５】
請求項１の発明は、電線に接続される雌型端子と、該雌型端子を収容する端子収容室を有すると共に、後面にシールセット部を有したコネクタハウジングと、該雌型端子および電線を圧入可能な貫通孔を有し、該雌型端子を該端子収容室に挿入する前に該コネクタハウジングの該シールセット部に嵌め込まれ、その後から該貫通孔を通して該端子収容室に該雌型端子が挿入されることで、該雌型端子の後方に延びる該電線の外周に密着して、該電線と該コネクタハウジングとの間を止水する弾性材料製のマットシールと、を具備した防水コネクタであって、前記雌型端子は、筒状の金属材からなり、前記電線の先端部が後端側の筒内部に挿入され、電気的に接続される筒部材と、金属材からなり、枠状の基部に弾性片が突設された接点部材とから構成され、該基部が前記端子収容室の前端側に固定された状態で、相手側の雄型端子を該端子収容室に前端側から挿入した際に、該雄型端子が該接点部材の弾性片を押し広げ、該弾性片が該筒部材と接触することで、前記接点部材および前記筒部材を介して前記電線と前記雄型端子とが電気的に接続されることを特徴としている。
【０００６】
請求項２の発明は、請求項１に記載の防水コネクタであって、前記筒部材を円筒状に形成するとともに、前記筒部材を前記電線の先端部にかしめ接合したことを特徴としている。
【発明の効果】
【０００７】
請求項１の発明によれば、電線の先端部を筒部材に挿入し、電線の先端部と筒部材とを接合するとともに、コネクタハウジングの端子収容室の前端側に接点部材を固定し、接点部材の各弾性片を上記筒部材の前端側に挿入する。また、コネクタハウジングの後面にマットシールを装着した後、コネクタハウジングの後端側からマットシールの貫通孔を通して端子収容室に筒部材を挿入すると、筒部材の後方に延びる電線の外周にマットシールが密着することによって、電線とコネクタハウジングとの間を止水する。次いで、相手側の雄型端子をコネクタハウジングの端子収容室に前端側から挿入して接点部材の弾性片を押し広げることにより、弾性片がそれぞれ筒部材と接触するので、接点部材および筒部材を介して電線と雄型端子とが電気的に接続される。これにより、雌型端子を構成する筒部材を電線の先端部に接合することで雌型端子を電線の先端に圧着させているので、この圧着強度を向上させることができる。また、電線に対して横方向への屈曲荷重や振動が掛かり、筒部材の取付位置がずれた場合であっても、接点部材がコネクタハウジングの端子収容室に固定されているので、接点部材の取付位置がずれることを防止でき、さらに、相手側の雄型端子に対して横方向への屈曲荷重や振動が掛かり取付位置がずれた場合、接点部材の各弾性片が弾性変形領域内で弾性変形して追従することにより、上記の雄型端子の位置ずれに対応できるので、雄型端子との電気的な接触を安定した状態で保持することができる。
【０００８】
請求項２の発明によれば、雌型端子の接点部材をあらかじめ端子収容室の前端側に固定してあり、コネクタハウジングへの脱着時に接点部材がマットシール内を通過しないので、マットシールを接点部材で傷つけることを防止できる。また、筒部材が円筒状に形成されているので、筒部材をかしめ加工に伴う表面のエッジ発生を抑制でき、コネクタハウジングへの脱着時に筒部材を円滑にマットシール内に通過させることができ、マットシールを筒部材で傷つけることがない。
【発明を実施するための最良の形態】
【０００９】
以下、本発明の実施形態を図面を参照して説明する。図１は実施形態の防水コネクタに相手側の雄型端子を挿入する前の状態を示す断面図、図２は同防水コネクタに雄型端子を挿入した状態を示す断面図、図３は同防水コネクタの筒部材および接点部材を示す分解斜視図である。
【００１０】
この防水コネクタは、丸型断面を有する電線１の先端部１０が挿入され、先端部１０に対してかしめ接合される円筒状の筒部材２と、この筒部材２を収容する端子収容室３０を有すると共に、後面にシールセット部３１を有したコネクタハウジング３と、筒部材２および電線１を圧入可能な丸型貫通孔４０を有する弾性材料製のマットシール４と、マットシール４の後面に装着され、マットシール４を保持するリヤホルダ（図示せず）と、端子収容室３０の前端側に固定される接点部材５とから構成されている。相手側の雄型端子７は、円錐状の先端部７０を有する丸棒形状に形成され、コネクタハウジング３の端子収容室３０に前端側から挿入されるとともに、コネクタハウジング（図示せず）を有している。
【００１１】
電線１は、先端の被覆外周を取り除くことにより、導線部分の先端部１０が露出する。筒部材２は、その外径が電線１の外径とほぼ同じに設定されている。なお、筒部材２および接点部材５により、電線１に接続される雌型端子６が構成されている。
【００１２】
接点部材５は、コネクタハウジング３の端子収容室３０に圧入またはインサートされる四角枠状の基部５０と、この基部５０の上部、下部および両側部よりそれぞれ後方に突出し、筒部材２の前端側に挿入される４本の弾性片５１とから構成されている。各弾性片５１は、基部５０側から先端側に向かって端子収容室３０の軸心に近づく方向に傾斜するとともに、先端近傍で折り曲げられて端子収容室３０の軸心から離れる方向に傾斜している。図１に示すように、各弾性片５１は当初、先端側が端子収容室３０の軸心に近づいた状態で配置され、筒部材２の内周面と接触しない状態に保たれている。
【００１３】
マットシール４は、筒部材２を端子収容室３０に挿入する前にコネクタハウジング３のシールセット部３１に嵌め込まれ、その後、貫通孔４０を通して端子収容室３０に筒部材２が挿入されることで、筒部材２の後方に延びる電線１の外周に密着して、電線１とコネクタハウジング３との間を止水する機能を果たす。マットシール４の外周には、コネクタハウジング３のシールセット部３１にマットシール４を嵌め込んだ際に、コネクタハウジング３側に密着して確実に止水するための外周リップ（図示せず）が設けられている。マットシール４の厚み方向に貫通した貫通孔４０の内径は、筒部材２の外径および電線１の外径とほぼ同じに設定されるとともに、貫通孔４０に、その内周のうち電線１の被覆外周に密着して止水する内周リップ（図示せず）が設けられている。
【００１４】
この防水コネクタを組み立てる場合、まず電線１の先端部１０を円筒状の筒部材２に挿入し、この筒部材２をかしめて電線接合部２０を形成することにより電線１の先端部１０と接合する。また、コネクタハウジング３の端子収容室３０の前端側に接点部材５を固定し、接点部材５の各弾性片５１を筒部材２の前端側に挿入する。そして、コネクタハウジング３の後面にマットシール４およびリアホルダを装着した後、コネクタハウジング３の後端側からマットシール４の貫通孔４０を通して端子収容室３０に筒部材２を挿入すると、筒部材２の後方に延びる電線１の外周にマットシール４が密着することにより、電線１とコネクタハウジング３との間を止水する。次いで、図２に示すように、相手側の雄型端子７をコネクタハウジング３の端子収容室３０に前端側から挿入し、接点部材５の基部５０に挿通して各弾性片５１を押し広げることによって、各弾性片５１をそれぞれ筒部材２に接触させ、接点部材５および筒部材２を介して電線１と雄型端子７とが電気的に接続される。
【００１５】
以上のように、この実施形態の防水コネクタによれば、雌型端子６を構成する円筒状の筒部材２を電線１の先端部１０にかしめ接合することにより、雌型端子６を電線１に圧着させているので、この圧着強度を向上させることができる。また、電線１に対して横方向への屈曲荷重や振動が掛かり、筒部材２の取付位置がずれた場合であっても、接点部材５がコネクタハウジング３の端子収容室３０に固定されているので、接点部材５の取付位置がずれることを防止でき、さらに、相手側の雄型端子７に対して横方向への屈曲荷重や振動が掛かり取付位置がずれた場合、接点部材５の各弾性片５１が弾性変形領域内で弾性変形して追従することにより、上記の雄型端子７の位置ずれに対応できるので、雄型端子７との電気的な接触を安定した状態で保持することができ、いわゆる接触安定性が高い。
【００１６】
また、この実施形態の防水コネクタでは、雌型端子６の接点部材５をあらかじめ端子収容室３０の前端側に固定してあり、コネクタハウジング３への脱着時に接点部材５がマットシール４内を通過しないので、マットシール４を接点部材５で傷つけることを防止できる。また、筒部材２を円筒状に形成することにより、かしめ加工に伴う電線接合部２０表面のエッジ発生を抑制できるので、コネクタハウジング３への脱着時に筒部材２を円滑にマットシール４の貫通孔４０内に通過させることができ、マットシール４を筒部材２で傷つけることがない。
【００１７】
また、この実施形態の防水コネクタでは、相手側の雄型端子７をコネクタハウジング３の端子収容室３０に前端側から挿入して接点部材５の各弾性片５１をそれぞれ押し広げる際、雄型端子７の円錐状の先端部７０が軸心の方向に向かって傾斜する弾性片５１上を摺動するので、この摺動抵抗を抑制することができるとともに、各弾性片５１が細長く形成されており、弾性変形するために大きな接触荷重を必要としない。したがって、相手側の雄型端子７を比較的小さな力でコネクタハウジング３の端子収容室３０に嵌合させることができる。
【００１８】
なお、上記実施形態にあっては、接点部材５の基部５０を四角枠状に形成したが、コネクタハウジング３の端子収容室３０の断面形状に応じて他の形状に形成することができ、また、接点部材５が４本の弾性片５１を備える場合を例示したが、雄型端子７を両側から挟むように２本の弾性片を備えてもよく、あるいはそれより多くの本数の弾性片を備えてもよい。
【００１９】
また、上記実施形態にあっては、円筒状の筒部材２を電線１の先端部１０に対してかしめ接合した場合を例示したが、このかしめ接合の代わりに、筒部材２にスエージング加工を施すことにより電線１の先端部１０に対して接合することもできる。
【００２０】
さらに、上記実施形態にあっては、相手側の雄型端子７を円錐状の先端部７０を有する丸棒形状に形成したが、先細りの先端部を有する角棒形状に形成してもよい。
【図面の簡単な説明】
【００２１】
【図１】本発明の実施形態の防水コネクタに相手側の雄型端子を挿入する前の状態を示す断面図である。
【図２】同防水コネクタに雄型端子を挿入した状態を示す断面図である。
【図３】同防水コネクタの筒部材および接点部材を示す分解斜視図である。
【図４】従来のコネクタハウジングの分解斜視図である。
【符号の説明】
【００２２】
１…電線
２…筒部材
３…コネクタハウジング
４…マットシール
５…接点部材
６…雌型端子
７…雄型端子
１０…先端部
３０…端子収容室
３１…シールセット部
４０…貫通孔
５０…基部
５１…弾性片
【図１】
2010097714.tif 000003
【図２】
2010097714.tif 000004
【図３】
2010097714.tif 000005
【図４】
2010097714.tif 000006